(57)【特許請求の範囲】
【請求項１】
少なくとも１つのホットスポットが設定された動画を表示するとともに、マウスカーソルによる前記ホットスポットの選択を支援するホットスポット選択支援装置であって、
前記マウスカーソルの表示位置に対応する第１位置情報を取得する手段と、
前記動画のホットスポットであって事前に設定された時刻だけ後のホットスポットの設定位置に対応する第２位置情報を取得する手段と、
前記第１位置情報と第２位置情報との差に基づいて前記マウスカーソルの位置を前記ホットスポットに接近補正する手段と、
を含むことを特徴とするホットスポット選択支援装置。
【請求項２】
各ホットスポットにはプライオリティ属性が設定されており、前記第２位置情報を取得する手段は、複数のホットスポットが設定されているときには、前記プライオリティ属性に基づいて一つのホットスポットを選択し、当該選択したホットスポットの位置を表す第２位置情報を取得することを特徴とする請求項１に記載のホットスポット選択支援装置。
【請求項３】
前記接近補正する手段は、複数のホットスポットが設定されているときには、各ホットスポットの位置を表す複数の第２位置情報と、第１位置情報との差を演算し、当該差に基づいて１つのホットスポットを選択し、選択されたホットスポットの位置を表す第２位置情報と、第１位置情報との差に基づいて、前記マウスカーソルの位置を当該ホットスポットに接近補正することを特徴とする請求項１に記載のホットスポット選択支援装置。
【請求項４】
第１位置情報に基づいて接近補正の要否を判断する手段をさらに含み、
前記接近補正する手段は、前記要否を判断する手段により、接近補正が必要とされたときのみ、接近補正を行うことを特徴とする請求項１乃至３のいずれかひとつに記載のホットスポット選択支援装置。
【請求項５】
前記動画の表示領域を検出する手段をさらに含み、
前記接近補正の要否を判断する手段は、前記第１位置情報と、前記動画の表示領域との関係により、接近補正の要否を判断することを特徴とする請求項４に記載のホットスポット選択支援装置。
【請求項６】
前記接近補正の要否を判断する手段が接近補正の必要がないと判断したときに、前記動画の表示領域外周に枠線を表示する手段をさらに含むことを特徴とする請求項４又は５記載のホットスポット選択支援装置。
【請求項７】
少なくとも１つのホットスポットが設定された動画を表示する工程を含み、マウスカーソルによる前記ホットスポットの選択を支援するホットスポット選択支援方法であって、
前記マウスカーソルの位置に対応する第１位置情報を取得する工程と、
前記動画のホットスポットであって事前に設定された時刻だけ後のホットスポットの表示位置に対応する第２位置情報を取得する工程と、
前記第１位置情報と第２位置情報との差に基づいて前記マウスカーソルの位置を前記ホットスポットの位置に接近補正する工程と、
を含むことを特徴とするホットスポット選択支援方法。
【請求項８】
少なくとも１つのホットスポットが設定された動画を表示するモジュールと、
マウスカーソルの位置に対応する第１位置情報を取得するモジュールと、
前記動画のホットスポットであって事前に設定された時刻だけ後のホットスポットの表示位置に対応する第２位置情報を取得するモジュールと、
前記第１位置情報と第２位置情報との差に基づいて前記マウスカーソルの位置を接近補正するモジュールと、
を含むホットスポット選択支援プログラムを格納したことを特徴とするコンピュータ読み取り可能な記録媒体。
【発明の詳細な説明】
【０００１】
【発明の属する技術分野】
本発明は、画像に設定されているホットスポットの選択を支援するホットスポット選択支援装置、ホットスポット選択支援方法及び記録媒体に係り、特に画像の視認性に影響を与えることのない選択支援技術に関する。
【０００２】
【従来の技術】
近年、インターネット環境の普及に伴い、種々の画像データがインターネットを介してコンピュータやインターネット対応テレビ（以下、「ブラウザ」と呼ぶ）上で見られるようになっている。これらの画像データのうちには、静止画像のデータや静止画像のデータを複数枚（複数フレーム）セットとした動画像データとがある。また、これらの画像には、一般に明確には表示されないが、仮想的な画像領域であって、ブラウザによって処理されるべき何らかの処理に関する情報を設定したもの（この画像領域を以下、「ホットスポット」と呼ぶ）がある。
【０００３】
従来のブラウザの一例について図５を参照して説明する。従来のブラウザは、図５に示すように、動画像取得部１と、付加情報取得部２と、制御部３と、動画像再生部４と、マウス操作部５と、表示部６とから基本的に構成されている。ここで動画像取得部１は、電気通信網を介してホットスポットを設定された動画像データを取得し、制御部３に出力する。付加情報取得部２は、電気通信網を介し、動画像に設定されたホットスポットに関連する付加情報を取得して制御部３に出力する。
【０００４】
制御部３は、入力された動画像データを動画像再生部４に出力する。また、この制御部３は、マウス操作部５からマウス操作状況を表す信号の入力を受けて、この操作内容に合わせて、マウスカーソル位置を制御し、当該位置にマウスカーソルを描画する指示を表示部６に出力する。さらに、この制御部３は、付加情報取得部２から入力される付加情報に従い、マウスカーソルが動画像に設定されたホットスポットの領域に入ったときやホットスポット内でクリックがあったときなど（以下、これらのホットスポットに関連する動作を「選択」と呼ぶ）に付加情報を表示し、付加情報に示されたリンクにアクセスするなどの処理を行う。
【０００５】
動画像再生部４は、制御部３から入力された動画像のデータから動画像を再生して、表示部６に出力する。表示部６は、この動画像を表示するとともに、制御部３から入力される指示に従って、マウスカーソルを重ね合わせて表示する。
【０００６】
【発明が解決しようとする課題】
しかしながら、上記従来のブラウザでは、ホットスポットが設定された動画を表示し、ホットスポットに関連した処理は行うものの、ホットスポットが設定されているか否かを利用者に通知していないので、ホットスポットが設定されていても、利用者にはそれがわからず、利便性が低いという問題点があった。
【０００７】
そこで、例えばホットスポットが設定されているスノーモービルの動画像を表示するときに、「スノーモービルにホットスポットが設定されています」等のメッセージを表示することがなされている。
【０００８】
しかし、このようにしても、利用者は、スノーモービルのどの部分にホットスポットが設定されているのかがわからない場合が少なくない。この場合に、ホットスポット部分を枠線で囲う処理をするものもあるが、このようにしてしまうと、画像自体の印象を損ねてしまううえ、ホットスポットが小さい場合には、枠線の方が大きく表示され、却ってホットスポットの選択がしにくくなる。
【０００９】
本発明は上記実情に鑑みて為されたもので、画像の印象を損なうことなく、ホットスポットの選択を容易にすることができるホットスポット選択支援装置、ホットスポット選択支援方法及び記録媒体を提供することを目的とする。
【００１０】
【課題を解決するための手段】
本発明に係るホットスポット選択支援装置は、少なくとも１つのホットスポットが設定された動画を表示するとともに、マウスカーソルによる前記ホットスポットの選択を支援するホットスポット選択支援装置であって、前記マウスカーソルの表示位置に対応する第１位置情報を取得する手段と、前記動画のホットスポットであって事前に設定された時刻だけ後のホットスポットの設定位置に対応する第２位置情報を取得する手段と、前記第１位置情報と第２位置情報との差に基づいて前記マウスカーソルの位置を前記ホットスポットに接近補正する手段と、を含むことを特徴としている。
【００１２】
本発明に係るホットスポット選択支援装置の一つに態様によれば、各ホットスポットにはプライオリティ属性が設定されており、前記第２位置情報を取得する手段は、複数のホットスポットが設定されているときには、前記プライオリティ属性に基づいて一つのホットスポットを選択し、当該選択したホットスポットの位置を表す第２位置情報を取得することを特徴としている。
【００１３】
本発明に係るホットスポット選択支援装置の一つに態様によれば、前記接近補正する手段は、複数のホットスポットが設定されているときには、各ホットスポットの位置を表す複数の第２位置情報と、第１位置情報との差を演算し、当該差に基づいて１つのホットスポットを選択し、選択されたホットスポットの位置を表す第２位置情報と、第１位置情報との差に基づいて、前記マウスカーソルの位置を当該ホットスポットに接近補正することを特徴としている。
【００１４】
本発明に係るホットスポット選択支援装置の一つに態様によれば、第１位置情報に基づいて接近補正の要否を判断する手段をさらに含み、前記接近補正する手段は、前記要否を判断する手段により、接近補正が必要とされたときのみ、接近補正を行うことを特徴としている。
【００１５】
本発明に係るホットスポット選択支援装置の一つに態様によれば、前記動画の表示領域を検出する手段をさらに含み、前記接近補正の要否を判断する手段は、前記第１位置情報と、前記動画の表示領域との関係により、接近補正の要否を判断することを特徴としている。
【００１６】
本発明に係るホットスポット選択支援装置の一つに態様によれば、前記接近補正の要否を判断する手段が接近補正の必要がないと判断したときに、前記動画の表示領域外周に枠線を表示する手段をさらに含むことを特徴としている。
【００１７】
本発明に係るホットスポット選択支援装置の一つに態様によれば、少なくとも１つのホットスポットが設定された画像を表示するとともに、マウスカーソルによる前記ホットスポットの選択を支援するホットスポット選択支援装置であって、前記マウスカーソルの位置を、前記画像に設定されたホットスポットの表示位置に対応する座標に徐々に接近させるよう制御することを特徴としている。
【００１８】
本発明に係るホットスポット選択支援方法は、少なくとも１つのホットスポットが設定された動画を表示する工程を含み、マウスカーソルによる前記ホットスポットの選択を支援するホットスポット選択支援方法であって、前記マウスカーソルの位置に対応する第１位置情報を取得する工程と、前記動画のホットスポットであって事前に設定された時刻だけ後のホットスポットの表示位置に対応する第２位置情報を取得する工程と、前記第１位置情報と第２位置情報との差に基づいて前記マウスカーソルの位置を前記ホットスポットの位置に接近補正する工程と、を含むことを特徴としている。
【００１９】
本発明に係る記録媒体は、コンピュータ読み取り可能な記録媒体であって、少なくとも１つのホットスポットが設定された動画を表示するモジュールと、マウスカーソルの位置に対応する第１位置情報を取得するモジュールと、前記動画のホットスポットであって事前に設定された時刻だけ後のホットスポットの表示位置に対応する第２位置情報を取得するモジュールと、前記第１位置情報と第２位置情報との差に基づいて前記マウスカーソルの位置を接近補正するモジュールと、を含むホットスポット選択支援プログラムを格納したことを特徴としている。
【００２０】
【発明の実施の形態】
実施の形態１．
本発明の実施の形態について図面を参照しながら説明する。本発明の実施の形態に係るホットスポット選択支援装置は、図１に示すように、動画像取得部１と、付加情報取得部２と、動画像再生部４と、マウス操作部５と、表示部６と、制御部７と、マウスカーソル制御部８と、外部記憶装置９とから主として構成されている。尚、従来と同様の構成をとる部分については、同一の符号を付して詳細な説明を省略する。
【００２１】
制御部７は、動画像取得部１から入力される動画像データを動画像再生部４に出力する。また、この制御部７は、この動画像取得部１から入力される動画像データに基づいて、当該動画像に設定されたホットスポットの領域を検出して、そのホットスポット領域に対応する座標データを演算する処理（ホットスポット座標演算処理）を行う。このホットスポット座標演算処理が本発明の第２位置情報を取得する手段に相当する。さらに、この制御部７は、後に説明するマウスカーソル制御部８からマウスカーソルの位置に対応する座標データを検出し、ホットスポット領域に対応する座標データに対し、マウスカーソルの位置を接近補正させる処理（接近補正処理）を行う。ここで、マウスカーソルの位置に対応する座標データを検出する処理が本発明の第１位置情報を取得する手段に相当し、接近補正させる処理が、本発明の接近補正する手段に相当する。尚、これらのホットスポット座標演算処理と、接近補正処理とについては、後に詳しく説明する。
【００２２】
マウスカーソル制御部８は、マウスカーソルの現在位置の情報を記憶しており、通常の状態ではマウス操作部５から入力されるマウスの操作状態に対応するマウスカーソルの位置の情報を制御部７に出力する。また、このマウスカーソル制御部８は、制御部７から接近補正後のマウスカーソルの位置の情報の入力を受けて、当該接近補正後の位置の情報をマウスカーソルの現在位置の情報として記憶する。外部記憶装置９は、フロッピーディスク等の光学的・電磁気的なコンピュータ読み取り可能な記録媒体から、制御部７が処理するプログラムを読み出す。制御部７は、この外部記憶装置９から読み出されるプログラムに従って処理を行うことになる。
【００２３】
ここで、制御部７のホットスポット座標演算処理について説明する。尚、以下の説明における動画像データの具体的態様は、例えば特開平１１−３２８４３３号公報、「動画アンカー設定装置およびその装置を用いた動画ハイパーメディア装置と動画提供システム」（関連技術）に記載のように、キーとなるフレームにのみホットスポットの領域としてのアンカーの情報を設定したものであってもよいし、各フレームにそれぞれアンカーの情報を設定したものであってもよい。キーとなるフレームにのみアンカー情報を設定した場合には、各フレームにおけるアンカー情報は関連技術の公報に記載したように、アンカー情報の補間により取得することができる。
【００２４】
制御部７は、ホットスポット座標演算処理として、ホットスポットの内部の代表点の座標を検出する処理に対応する。この処理は例えば、ホットスポット領域外周をなす各座標のデータから平均の座標（重心座標）を取得し、この重心座標をホットスポットの設定位置に対応する座標の情報（第２位置情報）としてもよいが、ホットスポット領域の形状は自由度が大きく、例えば中央部に穴があいたようなものでは、この重心座標がホットスポット領域にないことも考えられる。そこで、通常は重心座標を第２位置情報として用い、当該重心座標がホットスポット領域内にあるか否かを判断して、領域内になければ、当該重心座標を中心として探索を行い、当該重心座標に近い位置でホットスポット領域内にある座標を第２位置情報として用いてもよい。
【００２５】
さらに、ホットスポット領域の形状は、各フレームごとに変化してもよいため、この第２位置情報は現在表示中のフレームごとに更新することが好ましい。
【００２６】
次に、この制御部７の接近補正処理について説明する。制御部７は、図２に示すように、まずマウスカーソル制御部８から入力されるマウスカーソルの現在の表示位置に関する情報（第１位置情報）を取得し（Ｓ１）、当該第１位置情報で表される座標がホットスポット領域内部であるか否かを調べる（Ｓ２）。ここで、この座標がホットスポット領域内部であれば（Ｙｅｓならば）、付加情報取得部２から入力される付加情報に従った処理を行い（Ｓ３）、処理を終了する。
【００２７】
また、処理Ｓ２において、ホットスポット領域内部でなければ（Ｎｏならば）、ホットスポット座標演算処理を実行して現在のフレームでの第２位置情報を取得し（Ｓ４）、第２位置情報の座標から第１位置情報の座標を差引きした差分ベクトルを演算する（Ｓ５）。具体的に、第１位置情報が（Ｘ１，Ｙ１）であり、第２位置情報が（Ｘ２，Ｙ２）であるときには、この差分ベクトルは、次の［数１］の（１）のようになる。
【００２８】
【数１】
0003929225.tif 000002
【００２９】
次に、この差分ベクトルの各要素を事前に設定された数（接近パラメータ；Ｔ）で除して、補正ベクトルを生成する（Ｓ６）。この補正ベクトルは、次の［数２］の（２）のように算出される。
【００３０】
【数２】
0003929225.tif 000003
そして、この補正ベクトルを第１位置情報の座標に加算して、次の［数３］の（３）のようにして、接近補正後のマウスカーソル位置を演算する（Ｓ７）。
【００３１】
【数３】
0003929225.tif 000004
【００３２】
そして、この（３）のベクトル値をマウスカーソルの座標として、マウスカーソル制御部８に出力する（Ｓ８）。そして、制御部７は、処理Ｓ２に戻って処理を繰り返す。
【００３３】
この制御部７の処理により、各フレームごとの第２位置情報に対して接近パラメータの大きさによるマウスカーソルの位置制御が行われ、０＜Ｔ＜１であるときには、マウスカーソルが徐々にホットスポットの表示位置に対応した座標に接近する。また、Ｔ＝１であれば、マウスカーソルは直ちに、当該座標に移動する。
【００３４】
本実施の形態によれば、画像にホットスポット領域周辺に枠線を設けることなく、マウスカーソルが徐々に移動することにより、利用者がホットスポットが設定されていることを理解し、しかも、マウスカーソルの位置がホットスポットの領域に接近補正されるため、ホットスポットの選択を容易にできる。
【００３５】
また、ここでは、マウスカーソルが一旦ホットスポット内に入ったときには、その時点で処理を終了することとしているが、当該画像が表示されている間は、処理Ｓ３の後、終了せずに、再度処理Ｓ２に戻って処理を続けることも好適である。この場合には、マウスカーソルの位置を、画像に設定されたホットスポットの表示位置に対応する座標に徐々に接近させ、表示位置に対応する座標に到達した後は、当該ホットスポットに対応する座標に追随させるよう制御することになる。これにより、動画像において、マウスカーソルが一旦ホットスポット内に入った後、当該ホットスポットの領域の動きに追随させることができ、選択をより容易にできる。
【００３６】
実施の形態２．
また、上記の第１の実施の形態では、各フレームを表示するごとに第２位置情報を更新する処理をしているため、ホットスポット領域の動きによっては、マウスカーソルがホットスポット領域に直線的に近づかない。一方、利用者の好みによっては、マウスカーソルがホットスポット領域の将来の位置に移動させることも好適である。
【００３７】
この場合には、制御部７がホットスポット座標演算処理において、接近パラメータＴの値に応じて、マウスカーソルの位置である第１位置情報がホットスポット領域に関連する第２位置情報に到来する時刻（フレーム）を特定し、この時刻（フレーム）での第２位置情報を上記のホットスポット座標演算処理により取得すればよい。
【００３８】
本実施の形態によれば、マウスカーソルを直線的に移動させてホットスポットに到達させることができる。また、本実施の形態において特徴的なことは、上記のようにして特定された時刻（フレーム）よりもさらに後の時刻（フレーム）での第２位置情報を取得することにより、将来のホットスポットの位置に先回りして待機させ、当該後の時刻（フレーム）のときに付加情報に従った処理を行わせることができることである。
【００３９】
さらに、制御部７のホットスポット演算処理において、第１の実施の形態のように、各フレームでの第２位置情報を取得するか、本実施の形態のように将来の第２位置情報を取得するかを利用者又は当該画像の作成者、提供者が選択可能とするのも好ましい。これにより、多彩な演出効果を設定でき、さらに、利用者は好みに応じ、ホットスポットの選択を容易にできる。また、この場合にも、画像上にホットスポットの設定領域を表す表示を行う必要がないので、画像の印象を損なうことはない。
【００４０】
実施の形態３．
ここまでの説明では、ホットスポットが１つのみである場合を例として説明したが、実際には、各画像には、複数のホットスポットが設定されている場合もある。この場合には、制御部７がホットスポット演算処理において、目標となるホットスポットを一つ選択する処理（選択処理）を行う。
【００４１】
この選択処理としては、事前にホットスポットごとにプライオリティ（優先）属性を設定しておき、このプライオリティ属性の順に選択すればよい。また、現在のマウスカーソル位置に最も近いホットスポットを選択することとしてもよい。最も近いホットスポットを選択するためには、各ホットスポットごとに、ホットスポット演算処理を行い、現在のマウスカーソルの位置（Ｘ０，Ｙ０）を表す情報（第１位置情報）をマウスカーソル制御部８から取得して、その差を次の［数４］の（４）により演算し、この差が最も小さいホットスポットを選択する。
【００４２】
【数４】
0003929225.tif 000005
【００４３】
さらに、この場合において、プライオリティを用いるか、最も近いホットスポットに接近補正させるかを利用者が好みにより切替可能とするのも好ましい。
【００４４】
さらに、このようにホットスポットが複数ある場合には、図３に示すようにホットスポットの数と色情報を対応づけたテーブルを設定しておき、制御部７は、ホットスポットの数を検出して、図３の色情報を取得し、カーソルを当該色情報に基づいて着色制御して、表示部６に表示させることも好ましい。この場合には、カーソルの色により、ホットスポットがいくつあるかを知ることができる。尚、ここでは色情報としたが、図４（ａ）に示すようにその形状を変更したり、図４（ｂ）のように数字をマウスカーソルに付して表示したりしても構わないし、ホットスポットが単数か複数かのみに応じてカーソルの色、形状等を変更することも好ましい。
【００４５】
実施の形態４．
さらに、第１乃至第３の実施の形態に係るホットスポット選択支援装置において、制御部７は、接近補正を行う必要の有無を判断し、接近補正が不要と判断したときには、接近補正の処理を行わないようにすることも好ましい。この接近補正の要否を判断する制御部７の動作が本発明の接近補正の要否を判断する手段に相当する。
【００４６】
すなわち、本実施の形態においては、制御部７は、図２に示した接近補正処理において、処理Ｓ１にて第１位置情報を取得したのち、さらに、画像の表示領域を表す情報を取得する。そして、当該画像の表示領域内に第１位置情報が含まれているか（マウスカーソルが画像内にあるか）否かを判断し、含まれていなければ、そのまま接近補正処理を終了し、含まれているときのみ、処理Ｓ２以降の処理を行う。ここで、画像の表示領域を表す情報を取得する制御部７が本発明の画像の表示領域を検出する手段に相当する。
【００４７】
このようにすることで、マウスカーソルが画像外にあるときにまでホットスポットに接近補正されることがなくなり、利用者にとっての利便性を向上できる。
【００４８】
また、ここでは、マウスカーソルが画像内にあるか否かで接近補正の要否を判断しているが、図示しないキーボードの操作により、例えばコントロールキーが押下されている間のみ、接近補正をすることとしたり、事前にされた設定に基づいて接近補正の要否を判断しても構わない。
【００４９】
さらにこの場合に、マウスカーソルが画像の外にあって、接近補正不要と判断されたときには、画像の外周に枠線を表示することで、画像にホットスポットが設定されていることを明示することも好ましい。このようにしても、画像の印象を損なうことがなく、ホットスポットの存在を知らせて、その選択を容易にできる。また、この枠線は、設定されたホットスポットが単数か複数かによってその色を変えたり、態様（破線、太線、一点鎖線等）を変えて表示することも好ましい。さらに、この枠線は、マウスカーソルが画像内部に入ったときには非表示制御することが好ましい。
【００５０】
さらに、本発明の第１乃至第４の実施の形態に係るホットスポット選択支援装置において、マウスカーソル制御部８は、制御部７から接近補正の指示を受けている間に、マウス操作部５からマウス操作があったことを検出したときには、制御部７からの接近補正の指示に拘わらず、マウス操作部５から入力されるマウス操作の内容に従って、マウスカーソルの表示位置を制御することが好ましい。このようにすることで、利用者が接近補正が不要と判断したときに、マウスを操作することで、接近補正の有無に拘わらず他の作業を遂行できる。
【００５１】
さらに、本発明の第１乃至第４の実施の形態に係るホットスポット選択支援装置においては、制御部７は、接近補正中に、対象となっているホットスポットが画面上から消失したときには、その時点で接近補正の処理を中断することが好ましい。
【００５２】
さらに、本発明の第１乃至第４の実施の形態に係るホットスポット選択支援装置において、制御部７は、接近補正により、マウスカーソルがホットスポット領域に入ったときには、マウスカーソルの形状を変化させたり、色を変化させる等の処理を行うことも好ましい。これにより、ホットスポット領域に入ったことを利用者が理解でき、選択を容易にできる。
【００５３】
尚、ここまでの第１乃至第４の実施の形態の説明において画像は、複数フレームからなる動画像であるとして説明しているが、これらフレームの一部は、ＭＰＥＧ（motion picture experts group）符号データのように、動き補償ベクトルの差分補正用画像であってもよい。また、フレームが１枚のみであっても、同等の処理により、マウスカーソルの位置を接近補正して、ホットスポットの選択を容易にできる。
【００５４】
【発明の効果】
本発明によれば、少なくとも１つのホットスポットが設定された動画を表示するとともに、マウスカーソルの表示位置に対応する第１位置情報と、動画のホットスポットの設定位置に対応する第２位置情報とを取得し、第１位置情報と第２位置情報との差に基づいてマウスカーソルの位置を前記ホットスポットに接近補正するホットスポット選択支援装置としているので、表示画像の印象に影響を与えることなく、ホットスポットの選択を容易にできる。
【００５５】
本発明によれば、第２位置情報を取得する手段が、事前に設定された時刻だけ後のホットスポットの位置を表す第２位置情報を取得する請求項１記載のホットスポット選択支援装置としているので、動画像に設定されたホットスポットの将来の位置に対応してマウスカーソルが接近制御され、表示画像の印象に影響を与えることなく、ホットスポットの選択を容易にできる。
【００５６】
本発明によれば、複数のホットスポットの各々にプライオリティ属性が設定され、第２位置情報を取得する手段が、プライオリティ属性に基づいて一つのホットスポットを選択し、当該選択したホットスポットの位置を表す第２位置情報を取得する請求項１又は２記載のホットスポット選択支援装置としているので、ホットスポットが複数あっても、表示画像の印象に影響を与えることなく、ホットスポットの選択を容易にできる。また、このプライオリティ属性の付与の仕方によって、画像の作成者、提供者の演出効果を高めることができる。
【００５７】
本発明によれば、接近補正する手段が、表示画像に複数のホットスポットが設定されているときに、各ホットスポットの位置を表す複数の第２位置情報と、第１位置情報との差を演算し、これらの差に基づいて１つのホットスポットを選択し、選択されたホットスポットの位置を表す第２位置情報と、第１位置情報との差に基づいて、マウスカーソルの位置を当該選択したホットスポットに接近補正する請求項１又は２記載のホットスポット選択支援装置としているので、ホットスポットが複数あっても、表示画像の印象に影響を与えることなく、ホットスポットの選択を容易にできる。
【００５８】
本発明によれば、第１位置情報に基づいて接近補正の要否を判断し、接近補正する手段が、接近補正が必要なときのみ、接近補正を行う請求項１乃至４記載のホットスポット選択支援装置としているので、接近補正不要なときにまで接近補正がなされることがなく、利用者の利便性を向上でき、表示画像の印象に影響を与えることなく、ホットスポットの選択を容易にできる。
【００５９】
本発明によれば、動画の表示領域を検出し、第１位置情報と、動画の表示領域との関係により、接近補正の要否を判断する請求項５記載のホットスポット選択支援装置としているので、接近補正不要なときにまで接近補正がなされることがなく、利用者の利便性を向上でき、表示画像の印象に影響を与えることなく、ホットスポットの選択を容易にできる。
【００６０】
本発明によれば、接近補正の必要がないと判断したときに、動画の表示領域外周に枠線を表示する請求項５又は６記載のホットスポット選択支援装置としているので、ホットスポットが設定された画像が表示中であることを、表示画像の印象に影響を与えることなく利用者に知らせることができ、ホットスポットの選択を容易にできる。
【００６１】
本発明によれば、少なくとも１つのホットスポットが設定された画像を表示するとともに、マウスカーソルの位置を、画像に設定されたホットスポットの表示位置に対応する座標に徐々に接近させるよう制御するホットスポット選択支援装置としているので、表示画像の印象に影響を与えることなく、ホットスポットの選択を容易にできる。
【００６２】
本の発明によれば、少なくとも１つのホットスポットが設定された動画を表示する工程と、マウスカーソルの位置に対応する第１位置情報を取得する工程と、動画のホットスポットの表示位置に対応する第２位置情報を取得する工程と、第１位置情報と第２位置情報との差に基づいてマウスカーソルの位置をホットスポットの位置に接近補正する工程と、を含むホットスポット選択支援方法としているので、表示画像の印象に影響を与えることなく、ホットスポットの選択を容易にできる。
【００６３】
本発明によれば、少なくとも１つのホットスポットが設定された動画を表示するモジュールと、マウスカーソルの位置に対応する第１位置情報を取得するモジュールと、動画のホットスポットの表示位置に対応する第２位置情報を取得するモジュールと、第１位置情報と第２位置情報との差に基づいてマウスカーソルの位置を接近補正するモジュールと、を含むホットスポット選択支援プログラムを格納したコンピュータ読み取り可能な記録媒体としているので、このプログラムを利用すれば、表示画像の印象に影響を与えることなく、ホットスポットの選択を容易にできる。
【図面の簡単な説明】
【図１】  本発明の実施の形態に係るホットスポット選択支援装置の構成ブロック図である。
【図２】  制御部７の接近補正処理を表すフローチャート図である。
【図３】  ホットスポットの数と色情報を対応づけたテーブルの一例を表す説明図である。
【図４】  マウスカーソルの変化を表す説明図である。
【図５】  従来のブラウザを表す構成ブロック図である。
【符号の説明】
１  動画像取得部、２  付加情報取得部、３，７  制御部、４  動画像再生部、５  マウス操作部、６  表示部、８  マウスカーソル制御部、９  外部記憶装置。
【図１】
0003929225.tif 000006
【図２】
0003929225.tif 000007
【図３】
0003929225.tif 000008
【図４】
0003929225.tif 000009
【図５】
0003929225.tif 000010